(57)【特許請求の範囲】
【請求項１】
移動体内に搭載され、複数の情報を連続して音声または画面表示により当該移動体の乗員に提示する移動体用情報提示装置において、
操作者の操作により、前記情報の提示順序を任意に設定する入力操作手段と、
前記情報の提示順序を自動設定する提示順序設定手段と、
移動体が走行中であるか、或いは停止中であるかを判定する走行状態判定手段と、
前記入力操作手段により設定された順序で前記情報の提示を行うか、或いは前記提示順序設定手段により設定された順序で前記情報の提示を行うかの選択が可能とされ、選択された提示順序で前記情報の提示を行う第１の情報提示モードと、前記提示順序設定手段により設定された順序で前記情報の提示を行う第２の情報提示モードとの切り換えが可能であり、前記走行状態判定手段にて、前記移動体が走行中であると判定された際には、前記第２の情報提示モードを選択し、前記移動体が停止中であると判定された際には、前記第１の情報提示モードを選択する情報提示モード切り換え手段と、を有し、
前記情報提示モード切り換え手段は、前記移動体が停止中であるときに、前記提示順序設定手段により設定された順序での前記情報の提示が選択された際には、この情報の提示が全て終了するまで、連続して情報提示を行うことを特徴とする移動体用情報提示装置。
【発明の詳細な説明】
【０００１】
【発明の属する技術分野】
本発明は、車両等の移動体に搭載される情報提示装置に係り、特に、車両の走行状態に応じて情報を提示する態様を適宜変更する技術に関する。
【０００２】
【従来の技術】
近年、車両に携帯電話を搭載し、該携帯電話にて、ネットワークシステムを介して得られる各種の情報コンテンツ（画像情報、音楽情報等）を受信し、車両の運転者や他の乗員に提示する情報提示装置が用いられている。このような情報提示装置では、携帯電話にて受信された各種の情報コンテンツを提示し、これを運転者、或いは他の乗員が閲覧し、適宜選択することにより、所望する情報コンテンツを入手することができる。例えば、情報コンテンツとして、音楽の演奏情報を受信した場合には、受信した演奏情報を車両内で楽音出力させることができる。
【０００３】
また、複数のコンテンツから所望するコンテンツを選択する際には、モニタにて各種コンテンツの内容を表示し、選択用のスイッチを操作することにより所望するコンテンツを選択するように構成されているものが知られている。ところが、このような提示方法では、車両運転中に運転者がモニタの画面に見入ってしまうことがあるので、昨今においては、連続して複数のコンテンツを順次読み上げ、且つ、表示する方法を採用したものが考案されている。このような方法を採用することにより、運転者がモニタ画面を見入ってしまうという問題を回避することができる。
【０００４】
【発明が解決しようとする課題】
しかしながら、上述したように、複数のコンテンツを順次、読み上げ、表示する方法を採用した場合には、車両を停車させているときにおいても、同様に動作してしまうので、運転者は、種々のコンテンツを閲覧し、細かい情報を選択する余裕があるにも関わらず、自動的にコンテンツが選択されてしまうので、利便性に欠けるという問題がある。
【０００５】
また、この問題を解決するために、別の閲覧操作により、詳細な閲覧が可能となるように構成することもできるが、車両運転中と停止中とでそれぞれ異なる操作をしなければならないので、操作性が悪いという問題がある。
【０００６】
この発明はこのような従来の課題を解決するためになされたものであり、その目的とするところは、移動体の走行状況に応じて、情報コンテンツの提示方法を適宜変更することのできる移動体用情報提示装置を提供することにある。
【０００７】
【課題を解決するための手段】
上記目的を達成するため、本願請求項１に記載の発明は、移動体内に搭載され、複数の情報を連続して音声または画面表示により当該移動体の乗員に提示する移動体用情報提示装置において、操作者の操作により、前記情報の提示順序を任意に設定する入力操作手段と、前記情報の提示順序を自動設定する提示順序設定手段と、移動体が走行中であるか、或いは停止中であるかを判定する走行状態判定手段と、前記入力操作手段により設定された順序で前記情報の提示を行うか、或いは前記提示順序設定手段により設定された順序で前記情報の提示を行うかの選択が可能とされ、選択された提示順序で前記情報の提示を行う第１の情報提示モードと、前記提示順序設定手段により設定された順序で前記情報の提示を行う第２の情報提示モードとの切り換えが可能であり、前記走行状態判定手段にて、前記移動体が走行中であると判定された際には、前記第２の情報提示モードを選択し、前記移動体が停止中であると判定された際には、前記第１の情報提示モードを選択する情報提示モード切り換え手段と、を有し、前記情報提示モード切り換え手段は、前記移動体が停止中であるときに、前記提示順序設定手段により設定された順序での前記情報の提示が選択された際には、この情報の提示が全て終了するまで、連続して情報提示を行うことを特徴とする。
【００１０】
【発明の効果】
請求項１の発明では、走行状態判定手段による判定結果に応じて、第１の情報提示モードと、第２の情報提示モードが切り換えられるように動作する。従って、移動体の走行状況に応じた適切な態様で、情報を提示することができる。
【００１１】
また、移動体が走行状態である場合には、第２の情報提示モードで情報を提示し、移動体が走行状態でない場合には、第１の情報提示モードで情報を提示する。従って、第１の情報提示モードを、情報の内容を音声、及び画面で順次表示するモード、即ち、移動体の乗員が画面を見入ることなく情報の内容を把握することのできるモードとし、第２の情報提示モードを、情報の内容を詳細に設定することのできるモードとすれば、移動体走行時には、運転時の煩わしさを軽減することができ、且つ、余裕を持って操作することができる移動体停止時には、情報提示の態様を詳細に設定することができるので、利便性に富む操作が可能となる。
【００１２】
更に、操作者の手動操作にて、入力操作手段により設定された提示順序から提示順序設定手段により設定された提示順序へ切り換えることができるので、移動体が停止中であっても、長時間画面を見入る必要のない提示順序設定手段による情報の提示を選択することができる。従って、乗員の好みに応じた選択が可能となり、操作性が向上する。
【００１３】
【発明の実施の形態】
以下、本発明の実施形態を図面に基づいて説明する。図１は、本発明の一実施形態に係る情報提示装置、及びその周辺機器の構成を示すブロック図である。同図に示すように、該情報提示装置１は、携帯電話２にて受信された情報コンテンツのデータを受信して復調するモデム３と、ＥＣＵ（エレクトロ・コントロール・ユニット）４と、音声合成装置５と、ディスプレイ６と、各種の操作入力を行う入力部（入力操作手段、切り換え操作手段）７と、メモリ８と、を具備している。そして、音声合成装置５より出力される音声信号、或いは楽音信号は、スピーカ９より出力される。
【００１４】
ＥＣＵ４は、入手した情報コンテンツの提示順序を自動設定する提示順序設定部（提示順序設定手段）４ａと、車両の走行速度等の走行状態を判定する走行状態判定部（走行状態判定手段）４ｂと、情報コンテンツの提示開始タイミングを判断する提示開始判断部（提示開始判断手段）４ｃと、情報提示モード切り換え部（情報提示モード切り換え手段）４ｄと、を有している。
【００１５】
そして、ＥＣＵ４は、携帯電話２にて受信された情報コンテンツを取り込み、該情報コンテンツのメニュー項目、及び受信情報を、メモリ８内に格納する。また、提示順序設定部４ａにて自動設定された順序で、情報コンテンツを出力する。
【００１６】
また、入力部７にて、情報コンテンツの提示順序が設定された際には、この順序で、メモリ８内に格納されている情報コンテンツのメニュー項目、或いは受信情報をディスプレイ６にて画面表示する。
【００１７】
音声合成装置５は、情報コンテンツとして得られる音声情報、或いは演奏情報を合成する処理を行い、この出力信号はスピーカ９より出力される。
【００１８】
図２は、図１に示した情報提示装置１との間で通信可能な、情報センター、及びその周辺装置の構成を示すブロック図である。同図に示すように、車両１１に搭載される携帯電話２は、情報センター１２との間で無線通信が可能となっている。該情報センター１２は、インターネット１３を介して、パソコン端末１４，外部情報サーバー１５，キャリア事業者情報サービスサーバー１６，等と接続され、各種の情報コンテンツを入手することができるようになっている。
【００１９】
また、該情報センター１２は、直接外部情報サーバー１７と接続され、当該外部情報サーバー１７からも、各種の情報コンテンツを入手することができるようになっている。
【００２０】
次に、上述のように構成された本実施形態の動作を、図３に示すフローチャートを参照して説明する。なお、この例では、情報コンテンツとして、演奏情報を受信した場合を例に挙げて説明する。
【００２１】
まず、ステップＳ１０にて、受信した情報コンテンツに含まれる演奏情報に基づき、演奏する情報の数「Ｎ」を決定する。情報の数「Ｎ」は、予め設定した数でも良いし、数値入力手段（図示省略）を用いて操作者が決定するようにしても良い。また、演奏する情報は、個々の情報（例えば、天気予報や交通情報等）でも良いし、これらを階層化した情報群（個々の情報からなるチャネル情報群）であっても良い。更に、演奏情報は、予めダウンロードしたものでも、その都度ダウンロードしたものでも良い。
【００２２】
次いで、ステップＳ２０にて、演奏情報のチャネルｃｈ（Ｎ）をメモリ８内に格納する処理を行う。演奏情報は、画像や読み上げ用のテキスト、或いは音源のうちの少なくとも一つから構成される。
【００２３】
その後、ステップＳ３０，４０の処理にて、情報の数Ｎを変数とし、該変数Ｎを１ずつデクリメントし、全て（Ｎ個）の演奏情報をメモリ８内に格納する。そして、メモリ８への格納処理が終了すると、ステップＳ４０でＹＥＳとなり、ステップＳ５０にて、走行状態判定部４ｂにより、車両の走行速度ＶＳＰが検出される。なお、走行状態判定部４ｂは、車両に搭載されるスピードメータよりの出力信号に基づいて走行速度を判断することができるが、ハンドブレーキの操作状態などを検出することにより、車両が走行しているか否かを判断するように設定することも可能である。
【００２４】
そして、ステップＳ６０にて、走行速度ＶＳＰがゼロよりも大きいかどうか（即ち、走行しているか停止しているか）が判断され、走行状態である場合には、ステップＳ７０へ進み、停止状態である場合には、ステップＳ１００へ進む。
【００２５】
走行状態である場合には、ステップＳ７０にて、演奏情報のチャネルｃｈ（Ｎ）を演奏し、ステップＳ８０で、変数Ｎをデクリメントする。そして、ステップＳ９０にて、変数Ｎがゼロになるまで繰り返す。つまり、Ｎ個の情報が順次演奏されることになる（第２の情報提示モード）。
【００２６】
他方、車両の走行速度ＶＳＰがゼロである場合、即ち、停車中である場合には、ステップＳ１００にて、演奏情報チャネルのタイトルを、ソフトスイッチとして、ディスプレイ６に表示する。そして、表示したタイトルをジョイスティックやスイッチ、ダイヤルなどで選択することができるようにし、これらにより所望のタイトルを選択することにより、操作者の意図が伝達されるようにする。
【００２７】
表示するタイトルは、チャネルのコンテンツタイトルでも良いし、チャネルのリスト番号でも良い。また、画面表示するタイトルは、操作者が入力手段にてどれか一つ、または複数を選択することができる。
【００２８】
また、演奏情報チャネルのタイトルと併設して、自動演奏を選択するためのオートプレイ（Auto Play）スイッチを、ソフトスイッチとしてディスプレイ６に表示する。この際、オートプレイスイッチは、既に選択された状態、即ち、デフォルトフォーカス状態としても良い（第１の情報提示モード）。
【００２９】
ここで、デフォルトフォーカスについて説明する。通常は、ジョイスティックなどでタイトルの項目が選択されると、ディスプレイ６の画面上に表示されたタイトルにフォーカスが当たり（例えば、表示色が変わり）、選択したタイトルの項目を決定すると、この項目が選択されたことが認識されるが、デフォルトフォーカスとすれば、項目の選択操作を行わなくても、この項目（オートプレイスイッチ）に対し初期的にフォーカスが当たった状態となる。従って、デフォルトフォーカスが当たった場合には、決定操作のみで、所望のスイッチをオンとすることができる。よって、スティックを押し込むことにより、項目を決定することができる機能付きジョイスティックを用いれば、ワンタッチで所望するスイッチをオンとすることができる。
【００３０】
次いで、ステップＳ１２０にて、オートプレイスイッチが押された場合には、走行中の場合と同様に、ステップＳ７０へ処理が移行し、上述と同様の手順で、演奏情報の自動演奏が行われる。
【００３１】
他方、オートプレイスイッチが押されない場合には、ステップＳ１３０にて、ディスプレイ６に表示されているソフトスイッチが押されたかどうかが判断され、押されたことが検出された場合には、ステップＳ１４０にて、選択された項目の演奏情報が選択される。そして、ステップＳ１５０で、この演奏情報がメモリ８内から読み出され、ステップＳ１６０にて、この演奏情報が演奏される。
【００３２】
こうして、車両が走行している場合と、停止中である場合とで、それぞれ演奏情報の選択方式を変更し、所望する演奏情報を選択することができるのである。
【００３３】
このようにして、本実施形態に係る情報提示装置１では、走行状態判断部４ｂにより車両の走行速度を検出し、車両が走行している場合には、運転者がディスプレイ６を凝視しなくても表示項目を容易に認識することができる態様で、情報コンテンツを表示し、車両が停止している場合には、操作者により詳細な項目を設定することができる態様で、情報コンテンツを表示するように切り換えている。
【００３４】
従って、走行中には運転者に負担をかけることなく、容易に所望する情報コンテンツを選択することができ、余裕を持って操作することができる車両停止時においては、詳細な設定ができるので、操作性が向上するという効果を得ることができる。
【００３５】
以上、本発明の移動体用情報提示装置を図示の実施形態に基づいて説明したが、本発明はこれに限定されるものではなく、各部の構成は、同様の機能を有する任意の構成のものに置き換えることができる。例えば、上述した実施形態では、車両の走行中と停止中とで、ディスプレイ６に表示する態様を変化させる例を説明したが、本発明はこれに限定されるものではない。例えば、車両速度を設定し、車両速度が１０Ｋｍ／ｈ以上と、それ以下とで、表示態様を変化させるように構成することも可能である。
【００３６】
また、本実施形態では、車両状態判断手段が、車両のスピードメータより得られる走行速度を検出する例について説明したが、本発明は、これに限定されるものではなく、その他の車両状態の信号を用いることができる。
【００３７】
更に、本実施形態では、移動体として、車両を例に挙げたが、本発明はこれに限定されるものではなく、車両以外の移動体に対しても適用することができるものである。
【図面の簡単な説明】
【図１】本発明の一実施形態に係る移動体用情報提示装置、及びその周辺機器の構成を示すブロック図である。
【図２】移動体用情報提示装置と通信可能な情報センター、及びその周辺機器の構成を示すブロック図である。
【図３】本発明の一実施形態に係る移動体用情報提示装置の動作を示すフローチャートである。
【符号の説明】
１  情報提示装置
２  携帯電話
３  モデム
４  ＥＣＵ
４ａ  提示順序設定部（提示順序設定手段）
４ｂ  走行状態判定部（走行状態判定手段）
４ｃ  提示開始判断部（提示開始判断手段）
４ｄ  情報提示モード切り換え部（情報提示モード切り換え手段）
５  音声合成装置
６  ディスプレイ
７  入力部（入力操作手段、切り換え操作手段）
８  メモリ
９  スピーカ
１１  車両
１２  情報センター
１３  インターネット
１４  パソコン端末
１５  外部情報サーバー
１６  キャリア事業者情報サービスサーバー
１７  外部情報サーバー
【図１】
0003705215.tif 000002
【図２】
0003705215.tif 000003
【図３】
0003705215.tif 000004